(57)【要約】  沸騰温度が６０〜２８０℃である少なくとも１つの殺生物性製造物及び／又は薬害軽減剤製造物で処理する方法であって、ここで、前記方法は、３日以上の持続期間（ＤＴ）の処理工程を含み、前記処理工程は、上記製造物又は各製造物を含有する液体が蒸発され、筺体（２，４，１２）の内部に注入される間に、３日間以上の持続期間の少なくとも１回の注入段階（ＰＩ）を含み、液体は、蒸発され、前記注入段階の間に２日以下の期間（ΔＴ）で注入され、液体は５０℃未満の温度で蒸発される方法。
2019520854.tif 000002
【特許請求の範囲】
【請求項１】
沸騰温度が６０〜２８０℃である少なくとも１つの殺生物性製造物及び／又は薬害軽減剤製造物による処理方法であって、ここで、前記方法は、３日間以上の持続期間（ＤＴ）の処理工程を含み、前記処理工程は、上記製造物又は各製造物を含有する液体が蒸発され、筺体（２，４）の内部に注入される間に、３日間以上の持続期間の少なくとも１回の注入段階（ＰＩ）を含み、前記筺体（２，４）は部屋であり、一方、液体は、前記注入段階の間に２日以下の期間（ΔＴ）で蒸発及び注入され、液体は５０℃未満の温度で蒸発される、上記方法。
【請求項２】
前記方法は、前記筺体（２，４，１２）内の前記製造物又は各製造物の除去速度の代表量を決定する工程と、前記決定された代表量に従って、エバポレーション及び液体注入条件を選択する工程とを含むことを特徴とする、請求項１に記載の方法。
【請求項３】
前記注入段階又は各注入段階の間に、前記液体が、濃度が５０〜２０００ｐｐｍである、各使用のために予め決定された濃度範囲内で、筺体（２，４，１２）の内部雰囲気中の前記製造物又は各製造物の濃度を維持するために選ばれた条件下で蒸発され、注入されることを特徴とする、請求項１又は２に記載の方法。
【請求項４】
前記製造物の少なくとも１つが、薬害軽減剤製造物の以下のリスト、又は殺生物性製造物の以下のリスト：
−薬害軽減剤製造物：精油；テルペン；飽和又は不飽和Ｃ３〜Ｃ９短鎖アルコール、例えば、イソプロパノール、イソ−オクタノール、２−エチルヘキサノール；揮発性合成製造物、例えば、グルタルアルデヒド、ヘキサナール、ジメチルナフタレン及び３−デセン−２−オン；
−殺生物性製造物：クローブ油、タイム油、ゲラニオール、エチルアルコール、グルタルアルデヒド
から選ばれることを特徴とする、請求項１〜３のいずれか１項に記載の方法。
【請求項５】
前記方法が、３日以上の貯蔵期間（ＤＳ）の間、植物性製造物（６）を前記筺体（４，１２）内に貯蔵する工程を含み、ここで、前記製造物の少なくとも１つが薬害軽減剤製造物であることを特徴とする、請求項１〜４のいずれか１項に記載の方法。
【請求項６】
前記処理期間（ＤＴ）が、前記貯蔵期間（ＤＳ）の５０％以上であることを特徴とする、請求項５に記載の方法。
【請求項７】
前記処理工程が、前記処理工程の持続期間（ＤＴ）と実質的に等しい持続期間の単一注入段階を含むことを特徴とする、請求項１〜６のいずれか１項に記載の方法。
【請求項８】
ジャガイモが筺体（４）内に貯蔵され、ここで、前記液体が、少なくとも５０重量％のＬ−カルボンを含み、ジャガイモ１トンあたり１〜１０ｍｌの液体が前記注入段階の間の各々の日に注入されることを特徴とする、請求項７に記載の方法。
【請求項９】
前記処理工程が、液体注入がない停止段階によって互いに分離された複数の連続した注入段階を含むことを特徴とする、請求項１〜６のいずれか１項に記載の方法。
【請求項１０】
前記液体が、充填された塔内の空気流と接触させることによって蒸発させることを特徴とする、請求項１〜９のいずれか１項に記載の方法。
【請求項１１】
前記筺体（２，４）の内部雰囲気が、製造物で飽和状態に保たれることを特徴とする、請求項１〜８又は１０のいずれか１項に記載の方法。
【請求項１２】
前記エバポレーションが、連続的に作動する蒸発器（１８）を用いて行われることを特徴とする、請求項１〜８又は１０のいずれか１項に記載の方法。
【請求項１３】
分析器が、筐体（２，４）の内部雰囲気中の製造物濃度を永久的に測定し、前記エバポレーションが、予め決定された濃度内の製造物濃度を維持するために、測定された濃度に従って制御される蒸発器（１８）によって行われることを特徴とする、請求項３に記載の方法。
【請求項１４】
沸騰温度が６０〜２８０℃である少なくとも１つの殺生物性製造物及び／又は薬害軽減剤製造物を有する処理デバイスであって、前記デバイス（１７）は、
５０℃未満の温度で前記製造物又は各製造物を含有する液体を蒸発させ、前記蒸発した液体を筐体（２，４）に注入するように設計された蒸発器（１８）と、
３日間以上の持続期間（ＤＴ）の処理工程を実施するようにプログラムされた、前記蒸発器（１８）を制御するための電子デバイス（２０）であって、ここで、処理工程は、蒸発器（１８）が液体を蒸発し、２日未満の期間、蒸発した液体を注入する間、３日間以上の期間、少なくとも１回の注入段階を含む前記電子デバイスと
を備える、処理デバイス。
【請求項１５】
前記電子デバイス（２０）が、前記注入段階又は各注入段階の間に、前記液体が、雰囲気中の濃度が５０〜２０００ｐｐｍである、各使用のために予め決定された濃度範囲内で、筺体（２，４）の内部雰囲気中の前記製造物又は各製造物の濃度を維持するために選ばれた条件下で蒸発され、注入されるようにプログラムされていることを特徴とする、請求項１４に記載のデバイス。
【請求項１６】
前記植物性製造物（６）が、３日以上の貯蔵期間（ＤＳ）の間、前記筺体（４）内に貯蔵され、ここで、前記製造物の少なくとも１つが薬害軽減剤製造物であり、前記電子デバイス（２０）は、処理期間（ＤＴ）が貯蔵期間（ＤＳ）の５０％以上であるようにプログラムされていることを特徴とする、請求項１４又は１５に記載のデバイス。
【請求項１７】
前記電子デバイス（２０）は、前記処理工程が、該処理工程の持続期間（ＤＴ）に実質的に等しい持続期間の単一注入段階を含むようにプログラムされていることを特徴とする、請求項１４〜１６のいずれか１項に記載のデバイス。
【請求項１８】
前記電子デバイス（２０）は、前記処理工程が、注入がない停止段階によって互いに分離された複数の連続した注入段階を含むようにプログラムされていることを特徴とする、請求項１４〜１６のいずれか１項に記載のデバイス。
【請求項１９】
前記蒸発器（１８）が、パッキング（４２）を有する塔（４０）と、パッキング（４２）の上方に液体を注入するためのデバイス（４４）と、パッキング（４２）を通る空気の上方への流れを生じさせるように配置されたデバイス（４６）とを備えることを特徴とする、請求項１４〜１８のいずれか１項に記載のデバイス。
【請求項２０】
前記電子制御デバイス（２０）が、前記製造物中で飽和された前記筐体（２４）の内部雰囲気を維持するために蒸発器（１８）を制御することを特徴とする、請求項１４〜１７又は１９のいずれか１項に記載のデバイス。
【請求項２１】
前記電子制御デバイス（２０）が前記蒸発器（１８）を永久的に作動することを特徴とする請求項１４〜１７又は１９のいずれか１項に記載のデバイス。
【請求項２２】
筐体（２，４）の内部雰囲気中の製造物蒸気濃度を連続的に測定する分析器を備え、ここで、前記電子制御デバイス（２０）が、予め決定された範囲内で製造物濃度を維持するために、測定された濃度の関数として蒸発器（１８）を制御する、請求項１５に記載のデバイス。
【請求項２３】
前記蒸発器（１８）が、前記蒸発した液体を前記筐体（２，４）に注入するように設計され、ここで、植物性製造物（６）が好ましくは筐体（４）に貯蔵される、請求項１４〜２２のいずれか１項に記載の筐体（２，４）及び処理デバイス（１７）を備えるユニット。
【発明の詳細な説明】
【技術分野】
【０００１】
本発明は、概して、殺生物性製造物及び／又は薬害軽減剤製造物の蒸発に関する。
【０００２】
より具体的には、本発明は、第１の態様によれば、少なくとも１種の殺生物性製造物及び／又は薬害軽減剤製造物による処理方法に関する。
【背景技術】
【０００３】
天然起源の特定の揮発性製造物、例えば、精油は、興味深い殺生物性又は薬害軽減性を有することが知られている。それらは、特に、それらの保存を改善するために植物性製造物を処理するために使用される。
【０００４】
これらの製造物を植物に適用するためにこれまで使用されてきた技術は、以下の通りである：
−  製造物を含有する高温又は低温の水性分散液中への植物性製造物の浸漬；
−  殺菌するために、例えば、野菜の貯蔵室などの上記の散布；
−  貯蔵室への植物性製造物の入り口でのマイクロ噴霧。
【０００５】
適用される製造物の量は高く、植物性製造物では高濃度になる可能性がある。
【発明の概要】
【０００６】
これに関連して、本発明は、この欠点を有さない処理法を提案することを目的とする。
【０００７】
この目的のために、本発明は、沸騰温度が６０〜２８０℃である少なくとも１つの殺生物性製造物及び／又は薬害軽減剤製造物による処理方法に関し、ここで、この方法は、３日間以上の持続期間（ＤＴ）の処理工程を含み、処理工程は、上記製造物又は各製造物を含有する液体が蒸発され、筺体の内部に注入される間に、３日間以上の持続期間の少なくとも１回の注入段階を含み得て、ここで、筺体は部屋であり、一方、液体は、注入段階の間に２日以下の期間で蒸発及び注入され、液体は５０℃未満の温度で蒸発される。
【０００８】
したがって、本発明の根底にある考え方は、大量の製造物が非常に短時間に選択的に注入される既知の処理法とは対照的に、長期間にわたる処理法を提供することである。これにより、徐々に製造物を少量で注入することが可能となり、そのため、筐体内の製造物濃度は常に適度なレベルに保持される。
【０００９】
さらに、このシステムは、５０℃未満の室温で蒸発し、過飽和（これは加熱の場合）の危険性なしに、大気が飽和するまで蒸発する。これは、注入後に液体が再凝結することを防止する。液体の凝結は、貯蔵された食品に戻って、それらに植物毒性を有する液滴の形成をもたらす。逆に、冷たい蒸発は、液滴の形で凝結ないため、筐体内部に貯蔵された植物性製造物の塊への優れた拡散及び優れた浸透を可能にする。これにより、比較的一定であり、中程度である植物性製造物又は筐体の内壁に製造物濃度がもたらされる。
【００１０】
さらに、蒸気分子は、特にバルク、又はパレット若しくはビッグバッグなどの大容量容器に貯蔵される植物性製造物において、液滴よりも容易に拡散する。
【００１１】
さらに、処理方法は、個々に又は任意の技術的に実現可能な組み合わせで考慮される上記の特徴の１つ以上を有することができる：
−  本方法は、筐体内の上記製造物又は各製造物の除去速度を表す量を決定する工程と、上記液体の蒸発及び注入の条件を代表量の関数として選択する工程とを含み得る；
−  上記注入段階又は各注入段階の間に、液体は、各使用のために予め定められた濃度範囲内で、筐体の内部雰囲気で製造物又は各製造物の濃度を維持するために選択された条件下で蒸発及び注入され、ここで、この濃度は５０〜２０００ｐｐｍである；
−  製造物の少なくとも１つは、薬害減減剤製造物の以下のリスト又は殺生物性製造物の以下のリストから選択される：
〇薬害軽減剤製造物品：精油；テルペン；飽和又は不飽和Ｃ３〜Ｃ９短鎖アルコール、例えば、イソプロパノール、イソ−オクタノール、２−エチルヘキサノール；揮発性合成製造物、例えば、グルタルアルデヒド、ヘキサナール、ジメチルナフタレン及び３−デセン−２−オン；
〇殺生物性製造物：クローブ油、タイム油、ゲラニオール、エチルアルコール、グルタルアルデヒド；
−  本方法は、少なくとも１つの製造物が薬害軽減剤製造物である、３日以上の貯蔵期間の間、筐体に植物性製造物を貯蔵する工程を含む；
−  処理持続期間は、貯蔵期間の５０％以上である；
−  処理工程は、処理工程の持続期間に実質的に等しい持続期間の単一注入段階を含む；
−  ジャガイモは筺体内に貯蔵され、ここで、上記液体は、少なくとも５０重量％のＬ−カルボンを含み、ジャガイモ１トンあたり１〜１０ｍｌの液体が注入段階の間の各々の日に注入される；
−  処理工程は、液体注入がない停止段階によって互いに分離された複数の連続した注入段階を含む；
−  液体は、充填された塔内の空気流と接触させることによって蒸発させる；
−  筺体の内部雰囲気は、製造物で飽和状態に保たれる；
−  エバポレーションは、連続的に作動する蒸発器を用いて行われる；
−  分析器は、筐体の内部雰囲気中の製造物濃度を永久的に測定し、エバポレーションは、予め決定された濃度内の製造物濃度を維持するために、測定された濃度の関数として制御される蒸発器によって行われる。
【００１２】
あるいは、本方法は、植物性製造物による製造物又は各製造物の吸収速度の代表量を決定する工程と、決定された代表量の関数として液体を注入するための条件を選択する工程とを含むことができる。
【００１３】
第２の態様によれば、本発明は、沸騰温度が６０〜２８０℃である少なくとも１つの殺生物性製造物及び／又は薬害軽減剤製造物を有する処理デバイスに関し、該デバイスは、以下を含む：
−  ５０℃未満の温度で製造物又は各製造物を含有する液体を蒸発させ、蒸発した液体を筐体に注入するように設計された蒸発器；
−  ３日間以上に長い持続期間の処理工程を実施するようにプログラムされた、蒸発器を制御するための電子デバイスであって、ここで、処理工程は、蒸発器が液体を蒸発し、２日未満の期間、蒸発した液体を注入する間、３日間以上の期間、少なくとも１回の注入段階を含む電子デバイス。
【００１４】
デバイスは、個々に又は任意の技術的に実現可能な組み合わせとして考えられる以下の特徴の１つ以上をさらに表すことができる：
−  電子デバイスは、注入段階又は各注入段階の間に、液体が、雰囲気中の濃度が５０〜２０００ｐｐｍである、各使用のために予め決定された濃度範囲内で、筺体の内部雰囲気中の前記製造物又は各製造物の濃度を維持するために選ばれた条件下で蒸発され、注入されるようにプログラムされ得る；
−  植物性製造物は、３日以上の貯蔵期間の間、筺体内に貯蔵され、ここで、製造物の少なくとも１つは薬害軽減剤製造物であり、電子デバイスは、処理期間が貯蔵期間の５０％以上であるようにプログラムされる；
−  電子デバイスは、処理工程が、該処理工程の持続期間に実質的に等しい持続期間の単一注入段階を含むようにプログラムされる；
−  電子デバイスは、処理工程が、注入がない停止段階によって互いに分離された複数の連続した注入段階を含むようにプログラムされる；
−  蒸発器は、パッキングを備える塔と、パッキングの上方に液体を注入するためのデバイスと、パッキングを通る空気の上方への流れを生じさせるように配置されたデバイスとを備える；
−  電子制御デバイスは、製造物で飽和された筐体の内部雰囲気を維持するために蒸発器を制御する；
−  電子制御デバイスは蒸発器を永久的に作動する；
−  筐体の内部雰囲気中の製造物蒸気濃度を連続的に測定する分析器を備え、ここで、電子制御デバイスは、予め決定された範囲内で製造物濃度を維持するために、測定された濃度の関数として蒸発器を制御する。
【００１５】
第３の態様によれば、本発明は、上記の特徴を有する筐体と処理装置とを備えるユニットに関し、ここで、蒸発器は、筐体内に蒸発した液体を注入するように設計され、植物性製造物は筐体に貯蔵される。
【００１６】
本発明の他の特徴及び利点は、添付の図面を参照して、情報のみのためのものであり、決して限定的ではない以下の詳細な説明から明らかになる。
【図面の簡単な説明】
【００１７】
【図１】図１は、本発明の様々な実施形態を示すタイミング図を示す。
【図２】図２は、本発明の様々な実施形態を示すタイミング図を示す。
【図３】図３は、本発明の様々な実施形態を示すタイミング図を示す。
【図４】図４は、本発明の様々な実施形態を示すタイミング図を示す。
【図５】図５は、本発明の様々な実施形態を示すタイミング図を示す。
【図６】図６は、本発明による浄化されるべき部屋及び処理デバイスを備えるユニットの簡略化された概略図を示す。
【図７】図７は、図６のものと同様の図であって、本発明の処理デバイスが植物性製造物チャンバーに取り付けられている図である。
【図８】図８は、本発明によらないユニットの概略図を示し、筐体は、植物性製造物がパッケージされたパッケージである。
【図９】図９は、筐体内の製造物の除去率を決定することを可能にするグラフを示す。
【図１０】図１０は、筐体内の製造物の除去率を決定することを可能にするグラフを示す。
【図１１】図１１は、本発明の方法を実施するために提供される処理デバイスを表す概略図を示す。
【図１２】図１２は、高い液体流量を蒸発させるように設計された蒸発器を表す概略図を示す。
【発明を実施するための形態】
【００１８】
したがって、本発明は、少なくとも１つの製造物を使用し、消毒処理又は薬害軽減剤製造物の処理のいずれかである処理方法に関する。
【００１９】
すべての場合において、図１に示すように、この方法は、３日以上、好ましくは５日以上、さらにより好ましくは、又は７日以上である持続期間ＤＴの処理工程を含む。
【００２０】
処理段階の持続期間は、処理の種類に依存する。
【００２１】
第一の種類の処理：短い持続期間
建物の消毒処理のため、又はサイロの小麦、柑橘類、桃などの果実の薬害軽減剤製造物の処理のために、処置段階の持続期間ＤＴは、典型的には３日〜１ヶ月の間である。それは適用事例、排除される汚染の性質及び対象となる残留汚染レベル、適用される殺生物性製造物又は薬害軽減物質製造物の性質、筐体のサイズ、筐体内の温度などに依存する。
【００２２】
第二の種類の処理：長いい持続期間
長い持続期間の処理は、典型的には、薬害軽減剤製造物処理である。処理持続期間ＤＴは、筐体内の植物性製造物の保管時間ＤＳの関数である（図２〜図４）。本発明は、植物性製造物を長時間貯蔵する場合に特に適している。保管持続期間ＤＳは、典型的には、３ヶ月〜１年の間である。
【００２３】
処理持続期間ＤＴは、典型的には、貯蔵持続期間の５０％以上、好ましくは貯蔵持続期間ＤＳの７５％超、より好ましくは９０％超である。
【００２４】
したがって、処理持続期間ＤＴは、典型的には３ヶ月〜１年の間である。
【００２５】
したがって、貯蔵期間全体にわたって実質的に延長される処理が行われ、植物性製造物の開発の優れた制御が保証される。
【００２６】
図１に見られるように、処理工程は、３日以上、好ましくは５日以上、さらにより好ましくは７日以上の持続期間ＰＩを有する少なくとも１つの注入段階を含む。注入段階の間に、製造物又は各生成物を含有する液体を蒸発させ、筐体内に注入する。
【００２７】
処理工程は、例えば、図１〜４に示すように、単一の注入段階を含む。あるいは、処理工程は、図５に示されるように、液体注入を伴わない停止段階によって互いに分離された複数の注入段階を含むことができる。
【００２８】
注入段階の持続期間は、少なくとも３日、好ましくは５日間以上、より好ましくは７日以上である。それは、せいぜい処理工程の持続期間ＤＴに等しい。
【００２９】
単一の注入段階（図１〜４）の場合、注入段階の持続期間は、処理工程ＤＴの持続期間と実質的に等しい。あるいは、例えば、最後の注入操作が処理工程の終了の少し前に行われたため、注入段階の持続期間は、処理工程の持続期間よりも短くてもよい。
【００３０】
処理段階が複数の連続する注入段階（図５）を含む場合、各注入段階の持続期間は、典型的には３日〜１５日、好ましくは３日〜１０日である。
【００３１】
各停止段階の持続期間は、通常１５日から２ヶ月の間である。例えば、注入段階と次の停止段階の累積持続期間が１ヶ月になるように選択することができる。
【００３２】
図１に示すように、注入段階の間に、液体は蒸発され、及び注入され、期間ΔＴは２日未満である。これは、蒸発した液体の注入Ｉが最大２日の期間ΔＴだけ隔てられていることを意味する。
【００３３】
液体の蒸発及び注入は、例えば、注入段階を通して連続的であってもよく、この場合、期間は０に等しい（図３）。
【００３４】
あるいは、液体の蒸発及び注入を分割してもよく、この場合、注入段階は、期間ΔＴだけ互いに離れたいくつかの別々の蒸発した液体注入操作を含む（図１、２、４、５）。期間ΔＴは、２回の蒸発した液体注入操作の開始から開始までの時間である。蒸発と注入は２回の注入操作の間に中断される。これらの注入操作は、図１、図２、図４、図５においてＩで表されている。
【００３５】
注入段階中の注入操作Ｉの数は少なくとも２である。典型的には、１日に２回の注入操作と２日に１回の操作との間にある。例えば、１日に１回の注入操作が行われる。
【００３６】
各注入操作の持続期間は少なくとも１時間から最大２４時間である。通常は１時間から１５時間である。
【００３７】
典型的には、注入操作は、時間的に規則的に間隔を置いている。
【００３８】
ここで、筐体は、比較的高いレベルの気密性を有する筐体を意味すると理解されるため、筐体の内部雰囲気は、筐体の外部の雰囲気とは連通しないか又はほんのわずかしか連通しない。以下に説明されるように、筐体に注入された製造物（単数又は複数）が外部の雰囲気に逃げることなく、又は液体及び製造物の消費を不利にしないほど十分低い流量で逃げることが重要である。
【００３９】
消毒処理（図６）の場合、筐体は、例えば、病院の一部、学校、工業設備、又は他の任意の種類の施設であり得る。筐体はまた、タンク、貯蔵タンク又は輸送タンク、あるいは消毒される他の任意のタイプの筐体であってもよい。筐体は、野菜製品を収納するためのチャンバーであってもよいが、野菜製品を含んでいなくてもよい。
【００４０】
薬害軽減剤製造物処理の場合、筐体は、例えば、チャンバー、サイロ、温室、又は果実若しくは野菜などの野菜製品を貯蔵するための任意の部屋であってよい（図７）。この処理は、野菜製品が筺体に保管されている間、又は逆に、筺体が空の間に適用することができる。
【００４１】
本発明によってカバーされない変形によれば、筐体は、野菜製品がパッケージされたパッケージであり得る（図８）。
【００４２】
液体は、単一の製造物を含んでもよく、又は混合物中にいくつかの製造物を含んでもよい。製造物は、沸点が６０〜２８０℃の揮発性製造物であり得る。
【００４３】
各製造物は、殺菌用途のための殺生物性製造物、又は野菜製造品の処理のための薬害軽減剤製造物のいずれかである。
【００４４】
液体は、殺生物性製造物のみ、又は薬害軽減剤製造物のみを含むことができ、又は１つ以上の薬害軽減剤製造物と混合した１つ以上の殺生物性製造物である。
【００４５】
薬害軽減剤製造物の少なくとも１つは、以下のリストから選ばれる：精油、テルペン、飽和又は不飽和Ｃ３−Ｃ９アルコール、例えばイソプロパノール、イソオクタノール、２−エチルヘキサノール、揮発性合成製造物、例えばグルタルアルデヒド、ヘキサナール、ジメチルナフタレン及び３−デセン−２−オンが挙げられる。
【００４６】
精油は、例えば、ハッカ油、クローブ油、バラ油、タイム油、オレガノ油からなる群から選択され得る。あるいは、液体は、Ｌ−カルボン、オイゲノール、ゲラニオール、チモール、カルバクロールからなる群から選択される、これらの油の構成成分のうちの１つを含み得る。
【００４７】
殺菌用途について、殺生物性製造物は、クローブ油、タイム油、ゲラニオール、エチルアルコール、グルタルアルデヒドのような殺生物性製造物特性を有する天然又は合成の揮発性製造物である。
【００４８】
典型的には、液体は、溶媒又はアジュバントを含まない製造物（単数又は複数）のみを含む。あるいは、液体は、水性溶媒又は有機溶媒を含んでもよく、その中に製造物（単数又は複数）及び１つ以上のアジュバントが溶解されている。水性溶媒は、例えば、水であり得る。有機溶媒は、例えば、ＦＲ２７９１９１９に記載されている種類の溶媒、又はグリコール、ジグリコール及びそれらの関連エステルであり得る。アジュバントは、例えば、活性物質（単数又は複数）を輸送することができるか、又は希釈効果を生み出すことができる物質であり得る。
【００４９】
いずれにせよ、液体は、５０℃未満、好ましくは２０℃未満、特に−２℃〜＋１２℃、具体的には０〜１０℃の温度で注入段階中に気化される。例えば、液体は、室温で蒸発させることができる。
【００５０】
本発明の重要な態様によれば、各注入段階ＰＩの間、液体は蒸発され、所定の濃度範囲内に含まれる、筐体の内部雰囲気内の製造物又は各製造物の濃度を維持するために選択された条件下で注入される。
【００５１】
濃度範囲は、意図する用途及び製造物に依存する。それは一般的に、下記のように実験的に決定される。例えば、５０〜２０００ｐｐｍの雰囲気中の濃度の全勾配が標的とされる。
【００５２】
「蒸発及び注入条件」という用語は、ここでは以下のパラメーターのうちの１つ以上を意味すると理解される：
−処理段階の持続期間；
−注入段階の数；
−各注入段階の持続期間；
−該当する場合、注入を行わない各停止段階の持続期間；
−各注入段階中の注入操作の数；
−２回の注入操作の間の持続期間；
−各注入操作で注入された製造物の量。
【００５３】
有利には、蒸発及び液体注入の条件を決定するために、この方法は、筐体内の製造物又は各製造物の排出速度を表す量を決定する工程、及び代表量に従って蒸発及び液体注入条件を選択する工程を含む。
【００５４】
実際に、筐体内に注入された製造物は、さまざまな方法で消費される：
−薬害軽減剤製造物処理の場合、一部は植物性製品に吸収される；
−一部は、筐体の内面に堆積する；
−一部は、筐体の外側に向かって排出され、この場合、筐体の内側から筐体の外側に向かって空気が循環する原因となる漏れがある；
−このようなシステムを装備している場合、一部は、筐体の空気処理システムに吸収される。
【００５５】
実際、空気処理システムは、内部雰囲気から製造物の一部を捕捉する活性炭フィルターを含み得る。同様に、筐体、特に野菜製品の貯蔵室は、典型的には冷蔵される。筐体の内部雰囲気が冷却されて、熱交換器で結露が発生し、製造物が、凝縮した水分に部分的に溶解される。
【００５６】
各製造物が野菜製品に吸収される速度は、筐体内の周囲温度に依存することに留意すべきである。
【００５７】
決定工程は、上記のすべてのパラメーターを考慮に入れて、製造物又は各製造物の除去率の代表量を決定することを可能にする。
【００５８】
典型的には、この工程は、図９及び図１０に示される種類の測定を行うことによって実験的に行われる。
【００５９】
図９に示す例では、ある量の純粋なアルコールが蒸発され、この場合はデシケーターである筐体内に注入される。デシケーターの容量は９リットルで、温度は７℃に保たれる。注入されたアルコールの量は０．０１ｍｌである。曲線１は、デシケーターが１ｋｇの野菜製品を含む最初の試験に対応する。この図では、時間で表した時間は横座標上にあり、ｐｐｍで表した気体状アルコールの濃度は縦座標上にある。
【００６０】
曲線２は、デシケーターが空であり、いかなる野菜製品も含まない試験に対応する。曲線１に対応する試験と同じ条件下で行われる。
【００６１】
曲線１は、蒸発段階の終わりに、気体アルコールの濃度が３００ｐｐｍよりわずかに高いことを示している。蒸発段階は、約２時間続く。次に、第二段階において、ガス状アルコールの濃度は、８時間後に約１００ｐｐｍに急速に減少する。第三段階では、気体アルコールの濃度はよりゆっくりと減少する。１５時間後、ガス状アルコールの量は５０ｐｐｍ未満である。したがって、第二段階の間、アルコールの除去速度は３５ｐｐｍ／ｈのオーダーである。
【００６２】
曲線２は、蒸発段階の終わりに約４００ｐｐｍの気体アルコール濃度を示す。次に、ガス状アルコール濃度は、最初の曲線よりも低い勾配で、着実に減少する。その場合の傾きは約１２ｐｐｍ／ｈである。
【００６３】
これら２つの曲線間の差は、特に、野菜製品によって吸収されたアルコールの量を時間の関数として決定することを可能にする。
【００６４】
曲線１の第２段階の間、この速度は２３ｐｐｍ／ｈのオーダーである。
【００６５】
図１０は、図９に示すものと同様の試験を示す。唯一の違いは、図１０に示す試験についてのアルコール注入量が、図９に示す試験についてのアルコール注入量の１０倍であることである。図１０の試験について、０．１ｍｌの純粋なアルコールを注入する。
【００６６】
図１０の曲線は、図９の曲線と実質的に同じ形状を有する。曲線１において、デシケーターが１ｋｇの野菜製品を含む場合に対応し、第二段階の間に、気体状アルコールの除去速度は、毎時約５０ｐｐｍである。デシケーターが空の場合に対応して、曲線２の気体状アルコールの除去速度は、約２２ｐｐｍ／ｈである。したがって、第二段階の間に、野菜製品は約２８ｐｐｍ／ｈの気体アルコールを吸収する。
【００６７】
選択ステップでは、上記の結果を用いて蒸発及び液体注入の条件を選択する。これらの条件は上記のものである。
【００６８】
例えば、これらの条件は、筐体の内部雰囲気中のアルコールの濃度を特定の範囲内に維持するように選択され得る。図９及び図１０に示される例では、範囲は１００ｐｐｍ〜１０００ｐｐｍであり得る。選択された条件は、１８時間ごとにデシケーター内に０．１ｍｌのアルコールを注入すること、又は８時間ごとにデシケーター内に０．０１ｍｌのアルコールを注入することである。
【００６９】
あるいは、蒸発及び注入条件は、野菜製造物、又は各製造物の吸収速度を所定の範囲内に維持するように選択されてもよい。
【００７０】
これは、最初に野菜製造物、又は各製造物の吸収速度の代表量を決定し、次いでこのようにして決定された代表量の関数として蒸発及び注入条件を選択することによって行うことができる。
【００７１】
図９及び１０に示される例では、８時間ごとに０．０１ｍｌのアルコールの注入を行うことによって、又は１８時間ごとに０．１ｍｌのアルコールの注入によって、野菜製造物の吸収速度を２０〜３０ｐｐｍ／ｈに維持することが可能である。
【００７２】
処理方法のいくつかの実施形態をここで説明する。
【００７３】
一実施形態によれば、処理方法は消毒方法である。製造物は、上記のように選択された殺生物性製造物である。
【００７４】
図６に示されるように、この実施形態では、液体は気化され、例えば、学校、病院又は工業ビルに属するチャンバーであり得る筐体２の内部に注入される。筐体２には、例えば、筐体２の内容積の温度を所定の温度範囲内に維持するための暖房／空調システムなどの空気処理システム３が備えられている。
【００７５】
この場合、処理工程は、典型的には３日から１ヶ月の間、好ましくは３日から１０日の間の持続期間である。
【００７６】
例示的な実施形態では、処理期間は１週間であり、１日に１回の蒸発及び注入操作を伴う。注入される１日量は、０．５ｍｌ／ｍ3のハッカ油又はクローブ油である。
【００７７】
図７に示される第２の実施形態によれば、処理方法は薬害軽減剤製造物処理方法である。この場合、薬害軽減剤製造物である製造物を野菜製造物に付着させることが意図される。
【００７８】
薬害軽減剤製造物は、上記のように選択される。
【００７９】
筐体は、施設であり、例えば、野菜製造物を貯蔵するためのチャンバー、サイロ又は部屋４である。
【００８０】
筐体４は、筐体４の内容積の温度を所定の範囲内に維持することを意図した空気処理システム５を備える。典型的には、この温度は０℃〜１０℃である。
【００８１】
野菜製造物６は、典型的には果実又は野菜である。
【００８２】
例えば、野菜製造物は、リンゴ、ナシ、ブドウ、ザクロなどの果実である。
【００８３】
別の実施例では、野菜製造物は、例えば、ジャガイモ又はブロッコリーなどの野菜である。
【００８４】
野菜製造物６は、筐体４を満たす空気と直接接触している。気化した液体は、筐体４の内部容積に直接注入される。
【００８５】
したがって、この方法は、３日〜１年の貯蔵期間ＤＳの間に、筐体４内に野菜製造物を貯蔵するステップを含む。加工工程は、図２〜５に示されるように、貯蔵工程と同時に行われる。
【００８６】
貯蔵持続期間ＤＳ及び処理期間ＤＴは、上述の通りである。
【００８７】
第１の変形実施形態によれば、貯蔵持続期間ＤＳは短く、３日〜１ヶ月である。本件は、サイロの小麦、柑橘系の果実、桃などの核果の薬害軽減剤製造物処理に該当する。処理ステップの持続期間ＤＴは、典型的には、３日〜１ヶ月である。この方法は、典型的には、１日に１回の注入で、３日〜１ヶ月続く単回注入段階を含む。
【００８８】
第２の変形実施形態によれば、貯蔵持続期間ＤＳは長く、典型的には３ヶ月〜１年である。この場合は、例えば、長期保存用のジャガイモの薬害軽減剤製造物に相当する。処理期間ＤＴは、実質的に貯蔵持続期間ＤＳに等しい。
【００８９】
第一のアプローチによれば、この方法は、典型的には一日一回の注入で、処理の持続期間に実質的に等しい持続期間ＰＩの単一の注入段階を含む。
【００９０】
第２のアプローチによれば、この方法は、（図５に示されるように）注入なしの停止段階によって分離されたいくつかの注入段階を含む。
【００９１】
注入段階と停止段階のそれぞれの持続期間ＰＩとＰＡは、例えば、次のとおりである：
−１日１回の注入で３日間の注入、その後、注入なしで２７日間；
−１日１回の注入で７日間の注入、その後、注入なしで２３日間；
−１日１回の注入で１０日間の注入、その後、注入なしで２０日間。
【００９２】
注入日数は、注入される製造物の総量、並びに接触日数及び所望の活性を有するための閾値用量に従って決定される。
【００９３】
例えば、６ヶ月間貯蔵されているジャガイモに１リットルの２−エチルヘキサノールを注入する場合、以下が可能である：
−毎日、５．５ｍｌ／トンのジャガイモを注入する：
−月に３日で５５ｍｌ／トンを注入する；
−月７日に２４ｍｌ／トンを注入する。
【００９４】
好ましい溶液は、毎日の低用量に対応する。
【００９５】
第１の例示的な実施形態によれば、ジャガイモは、約７℃〜９℃の温度で筐体４内に貯蔵される。
【００９６】
処理工程では、少なくとも５０重量％のＬ−カルボンを含む液体を蒸発させ、筐体４に注入する。典型的には、この液体はスペアミント油である。この場合、処理持続期間は、貯蔵持続期間と実質的に等しい。処理工程は、処理持続期間と実質的に等しい持続期間の単回の注入段階を含む。注入操作は毎日行われ、ここで、注入される液体の量は、ジャガイモ１トンあたり１〜１０ｍｌの液体、好ましくはジャガイモ１トンあたり１〜５ｍｌ、例えばジャガイモ１トンあたり２ｍｌである。
【００９７】
第２の例示的な実施形態によれば、ジャガイモは約７℃〜９℃の温度で筐体４内に貯蔵される。
【００９８】
処理工程では、Ｃ３−Ｃ９アルコールを含む液体を蒸発させ、筐体４に注入する。典型的には、この液体は２−エチルヘキサノールである。この場合、処理期間は約６ヶ月である。処理工程は、処理持続期間と実質的に等しい持続期間（持続期間）の単回の注入段階を含む。
１回の注入操作は毎日行われ、ここで、６ヶ月間に注入される液体の総量は、ジャガイモ１トンあたり液体１００〜２０００ｍｌ、好ましくはジャガイモ１トンあたり６００〜１２００ｍｌ、例えば、ジャガイモ１トンあたり１０００ｍｌである。
【００９９】
第３の例示的な実施形態によれば、ジャガイモは、約７℃〜９℃の温度で筐体４内に貯蔵され得る。
【０１００】
処理工程では、Ｃ３〜Ｃ９アルコールを含む液体を蒸発させ、筐体４に注入する。典型的には、この液体は２−エチルヘキサノールである。この場合、処理期間は約６ヶ月である。処理工程は、注入なしの停止期によって分離されたいくつかの注入段階を含む。各注入期は３日から２週間、典型的には１週間持続する。各停止段階の持続期間は約３週間である。各注入段階の間、注入操作が毎日行われ、ここで、注入される液体の量は、ジャガイモ１トンあたり５．５〜１１０ｍｌ／日ｍｌ、好ましくはジャガイモ１トンあたり３３〜６７ｍｌ／日、例えば、ジャガイモ１トンあたり５５ｍｌ／日である。
【０１０１】
第４の実施形態によれば、柑橘系果実は熟成段階中に保護のためにクローブ油による殺菌処理を受け、その段階中に果実の色の変化が比較的高い温度及び湿度で起こる。この段階は、果実を詰める直前で起こる。処置は、５日間、１日あたり４ｇ／トンの注入段階を含む。貯蔵期間は、３日から１ヶ月と短い。
【０１０２】
次に、図８を参照して、本発明の範囲外の第３の実施形態について説明する。
【０１０３】
この第３の実施形態が第２の実施形態と異なる点のみを以下に詳述する。２つの実施形態において同一の要素又は同一の機能を提供する要素は、同一の参照符号で示される。
【０１０４】
この第３の実施形態では、筐体はパッケージ１２であり、サイロ又はコールドチャンバではない。このパッケージは、例えば、図８に示すように、バッグ、箱、又は木箱である。
【０１０５】
製造物又は各製造物を含む液体１４は、１つ以上の製造物に対して透過性である材料の少なくとも１つの壁を備えた密閉容器１６に入れられる。容器１６はパッケージ１２内に配置される。
【０１０６】
有利には、軽石などの多孔質固体材料１７が容器１６内に配置され、液体が固体材料を浸す。
【０１０７】
容器１６は、例えば、バッグ又は箱である。
【０１０８】
この第３の実施形態では、液体は、パッケージ１２の内部で連続的に蒸発及び拡散する。注入は透過性材料を通して行われる。液体は、容器内で蒸発し、ここで、蒸発した液体は、透過性材料の壁を通って拡散する。
【０１０９】
「透過性」とは、本明細書において、壁が、それ又はそれぞれ、典型的には液体蒸気に対して透過性であることを意味する。
【０１１０】
図８に示される例では、パッケージは野菜製造物６を含んでいる。次に、その製造物は、薬害軽減剤製造物である。
【０１１１】
あるいは、液体は殺生物性製造物であってもよく、その目的はパッケージの内部を満足のいく衛生状態に維持することである。
【０１１２】
注入される製造物の量は、液体及び製造物の性質の関数として、密閉容器１６の透過壁を構成する材料、その面積、その厚さ、及び容器１６内に含まれる液体の体積を適切に選択することによって制御することができる。例えば、透過性壁の材料はポリエチレンであり得て、一方、薬害軽減剤製造物はハッカ油であり、野菜製造物はジャガイモである。
【０１１３】
２０／０５／２０１５に収穫されたニコラス種のジャガイモは、それぞれが１５ｋｇのジャガイモを含む２００リットルの実験用貯蔵細胞に保存される。
【０１１４】
疎水性砂に吸収されたハッカ油４ｇを含むポリエチレン製サッシェを調製する。
【０１１５】
いくつかの細胞を調製して、この胚芽処理法の有効性を評価する：
１）ジャガイモのみを含有する対照細胞。
２）１つのサッシェを含む細胞。
３）２つのサッシェを含む細胞。
４）４つのサッシェを含む細胞。
５）６つのサッシェを含む細胞。
【０１１６】
日中３０℃、夜間２０℃で、室温にて２０日間保存後、各細胞のジャガイモを調べる。
２０日間の保存後に観察された胚の割合：
１）１００％
２）８０％
３）３〜４％
４）０％
５）０％
【０１１７】
ここで、処理デバイス１７について説明する。このデバイスは、上述した方法の実施のために提供される。
【０１１８】
逆に、上述の方法は、以下に説明する処理デバイスによって実施されることが意図される。
【０１１９】
処理デバイス１７は、以下を備える：
−  製造物又は各製造物を含む液体を５０℃未満の温度で蒸発させ、蒸発した液体を筐体内に注入するように設計された蒸発器１８であって、筐体は部屋であり得る蒸発器１８；
−  蒸気器を制御するための電子デバイス２０。
【０１２０】
上述したように、消毒用途では、筐体は、例えば、病院、学校、産業施設、又は他の建物に属する部屋である。筐体はまた、タンク、貯蔵用又は輸送用のタンク、又は消毒すべき他のタイプの筐体であってもよい。
【０１２１】
薬害軽減剤製造物用途では、筐体は、冷蔵室、植物性製造物の貯蔵用サイロ、又は植物性製造物（例えば、果実及び野菜）の貯蔵を目的とした他のタイプの筐体であってもよい。
【０１２２】
生成物は、処理方法に関して上述したタイプのものである。
【０１２３】
蒸発器１８は、典型的には、国際公開第２０１４／００１２０１号に記載されているタイプの蒸発器である。この蒸発器は、精油などの比較的重い液体の室温での蒸発に特に適している。
【０１２４】
蒸発器１８は、典型的には、図１１に示すように、以下を備える：
−  液体を収容するリザーバー２２；
−  液体を吸収する部材２４；
−  気体の流れを生成する部材２６、ここで、気体の流れは吸収部材２４に向けられる。
【０１２５】
吸収部材２４は、液体を保持するように設計された複数の吸収性ストリップ２８を備える。吸収性ストリップは、例えば、垂直に配置されるか、又は液体が重力によってストリップの上端から下端に向かって流れることを可能にする傾斜を有する垂直に対して傾斜している。ストリップは、例えば、Ｖ字形に配列され、Ｖ字形の先端は上方に向いている。それらは、Ｗ又はアコーディオン構成で配置することができる。
【０１２６】
吸収性ストリップ２８は、典型的には、マイクロファイバーで作られている。
【０１２７】
気体流を生成するための部材２６は、例えば、吸収性ストリップ２８に向かって空気流を作り出すように配向されたファンである。
【０１２８】
蒸発した液体が充填された空気流は、筐体の内部雰囲気に開口するダクト２９を通って送られる。あるいは、液体吸収部材２４及び気体流発生部材２６を筐体の内部に直接配置し、ここで、部材２６は、筐体（筐体）の内部雰囲気を動かすように設定する（図６、図７）。
【０１２９】
好都合なことに、蒸発器１８は、リザーバー２２から液体を吸収部材２４内に注入するための部材３０を備える。この注入部材３０は、投薬部材３２、例えば投薬ポンプを備える。この投薬部材３２は、吸収性ストリップ２８内に注入された液体の流れを制御する。液体は、各ストリップの上端で注入され、重力によって各ストリップの下端に流れる。
【０１３０】
好ましくは、蒸発器１８は、蒸発した液体の流れを完全に制御するために、注入された全ての液体が各ストリップ２８の下端に到達する前に蒸発するように設計される。この結果は、液体の性質、ストリップの面積、各ストリップに注入された液体の流れ、及び気体流速の関数として適切に選択することによって得られる。
【０１３１】
そのような蒸発器は、ＸＥＤＡ  ＩＮＴＥＲＮＡＴＩＯＮＡＬによって、ＸＥＤＡＶＡＰ（登録商標）の名称で販売されている。
【０１３２】
あるいは、蒸発器は異なっていてもよい。蒸発器は、例えば、液体を収容する容器と、液体の自由表面に向けられたガス流を生成するための部材とを備えていてもよい。
【０１３３】
あるいは、蒸発器は、液体を収容する容器と、液体を通って気体をバブリングするデバイスとを備えていてもよい。気体は、液体を通過して蒸気で充填された後、別の気体の流れと混合され、気体を筐体の内部に引き寄せる。
【０１３４】
蒸発器は、蒸発させる液体の関数として、他の任意のタイプのものであってもよい。
【０１３５】
電子デバイス２０は、例えば、コンピュータ又はコンピュータ部品であってもよい。あるいは、電子制御デバイス２０は、フィールド・プログラマブル・ゲート・アレイ（ＦＰＧＡ）の形態で、又は特定用途向け集積回路（ＡＳＩＣ）の形態で実施されてもよい。
【０１３６】
電子制御デバイス２０は、上述した本発明の方法を実施するようにプログラムされている。
【０１３７】
したがって、それは、３日以上持続する処理工程を実施するようにプログラムされており、ここで、この処理工程は、その期間中の３日以上の持続期間の少なくとも１つの注入段階を含み、蒸発器は、液体を蒸発させ、蒸発した液体を２日以下の時間で注入する。
【０１３８】
処理工程の持続期間は、好ましくは５日以上、より好ましくは７日以上である。
【０１３９】
注入段階又は各注入段階の持続期間は、好ましくは５日以上、より好ましくは７日以上である。
【０１４０】
消毒用途では、処理の持続期間は上記の通りである。
【０１４１】
薬害軽減剤製造物用途について、処理ＤＴの持続期間は、筐体内部の植物性製造物の貯蔵持続期間ＤＳの関数である。本発明は、植物性製造物が、３日〜１年の貯蔵期間の間、貯蔵される場合に特に適している。
【０１４２】
貯蔵時間に関しては、２つの異なる場合がある。
−  短期貯蔵期間の場合：３日〜１カ月。例えば、袋詰される前にサイロに貯蔵されるコムギ、核果（桃、ネクタリン）、パッケージ前に成熟チャンバーに貯蔵されるオレンジ。この場合、処理は少なくとも３日間続く。
−  長期貯蔵期間の場合：３カ月〜１年。処理の持続期間はまた３カ月〜１年。次に、電子デバイスは、処理の持続期間が、貯蔵持続期間の５０％以上、好ましくは貯蔵時間の７５％以上、より好ましくは貯蔵時間の９０％以上であるようにプログラムされる。
【０１４３】
したがって、貯蔵期間全体にわたって実質的に延長し、植物性製造物の開発の優れた制御を保証する処理が行われる。
【０１４４】
全ての場合において、図１〜図４に対応する第１の実施形態によれば、電子デバイス３０は、処理工程が単一の注入段階を含むようにプログラムされてもよい。注入段階の持続期間は、処理工程の持続期間と実質的に等しい。あるいは、例えば、最後の注入操作が処理工程の終了の少し前に行われたため、注入段階の持続期間は、処理工程の持続期間よりも短くてもよい。
【０１４５】
第２の実施形態によれば、電子デバイスは、処理工程が、注入なしで停止段階によって互いに分離された、複数の連続する注入段階を含むようにプログラムされる（図５）。
【０１４６】
各注入段階及び各停止段階の持続期間は、処理方法に関して上述した通りである。
【０１４７】
さらに、第１の改変実施形態によれば、電子デバイスは、各注入段階の間に、いくつかの蒸発操作及び液体注入操作が、典型的には、通常は間隔で、すなわち注入の間の規則的な期間で、実施され得るようにプログラムされる。これは、図１、２、４及び５に示される。２回の注入の間の期間は、上記のように、２日未満であり、例えば１日である。換言すれば、例えば、１回の液体注入操作を１日に行うようにしてもよい。
【０１４８】
別の改変実施形態によれば、電子デバイスは、液体を連続的に蒸発させて注入するように、すなわち、注入段階全体の間にいずれも中断することなく、プログラムすることができる。
【０１４９】
電子デバイス２０は、注入段階の間、又は各注入段階の間に、液体は、筐体の内部雰囲気中の製造物、又は各製造物の濃度を所定の濃度範囲に維持するために選択された条件下で、蒸発され注入され得るようにプログラムされ得る。
【０１５０】
濃度範囲は、本発明の方法に関して上述したように、図９及び図１０に示すような曲線を使用して決定することができる。
【０１５１】
蒸発及び注入条件は、典型的には、以下のパラメーターの１つ以上を含む：
−  注入段階の数；
−  各注入段階の持続期間；
−  各注入段階における注入動作の回数；
−  ２回の注入操作の間の期間；
−  各注入操作で注入される製造物の量；
−  おそらく、２つの注入期間の間の停止期間の持続期間など。
【０１５２】
あるいは、電子デバイス２０は、注入段階の間又は各注入段階の間に、液体を蒸発させ、植物性製造物による植物性保護製造物の吸収速度を所定の範囲に維持するために選択された条件下で注入することができるようにプログラムされていてもよい。
【０１５３】
この範囲は、例えば、上述したように、図９及び図１０に類似した曲線を使用して決定される。
【０１５４】
条件は、上記と同じパラメーターを含む。
【０１５５】
図１２に示す代替の実施形態によれば、蒸発器１８は、パッキン４２を有するタワー４０と、パッキン４２の上方に液体を注入するためのデバイス４４と、パッキン４２を通って上昇する空気流を生成するように配置されたデバイス４６を備える。
【０１５６】
塔４０は、典型的には、タンク４７を含み、パッキン４２の下に配置され、液体を含有する。
【０１５７】
パッキンの上方に液体を注入するためのデバイス４４は、典型的には、パッキン４２の上方に配置された１つ以上のスプレーバー４８と、ポンプなどの液体移送部材５０とを含み、タンク４７の液体を吸引し、スプレーバー４８内にそれを戻し入れる。
【０１５８】
空気流を生成するためのデバイス４６は、パッキング４２の下の塔内部に開口する１つ以上の空気入口５２と、パッキングの上方に配置された空気循環部材５４とを含む。部材５４は、例えば、ファン又は送風機である。
【０１５９】
各入口５２は、筐体４の内部雰囲気と流体連通している。
【０１６０】
塔４０は、パッキン４２の上方で、上部に配置された、蒸発した液体で満たされた空気用の出口５６を有する。出口５６は、筐体４の内部雰囲気と流体的に接続されている。部材５４は、パッキン４２上で蒸発した液体を含んだ空気を吸引し、それを出口５６内に又は出口５６に向けて放出する。
【０１６１】
パッキン４２は、例えば、ハニカムパッキンである。
【０１６２】
蒸発器は、スプレーバー４８の上方に配置された液滴分離器５８をさらに含む。
【０１６３】
例示的な実施形態では、タワー４０は、垂直軸を有し、７００×７００ｍｍの実質的に一定の水平断面を有する。タンク４７は、タワーと同じ水平断面を有し、５００〜７００ｍｍの高さを有する。
【０１６４】
蒸発器は、例えば、塔の一方の側にそれぞれ配置された４つの入口５２を有する。
【０１６５】
パッキン４２は、約１メートルの高さを有する。
【０１６６】
パッキン４２は、例えば、液体入口の７００ｍｍ下方に配置され、液滴分離器５８は、液体入口より３００ｍｍ上方に配置される。
【０１６７】
蒸発器１８の動作は、次の通りである。
【０１６８】
蒸発される液体４６は、タンク４７内に配置される。ポンプ５０は、スプレーバー４８に液体を送り、液体をパッキング４２に向けて噴霧する。空気循環部材５４は、上昇する空気流を生成する。空気は、入口５２を通って塔４０に入り、パッキン４２を通って上方に流れる。液体はパッキング４２を通って下方に流れ、ここで、液体の一部は、空気流と接触すると蒸発し、蒸気の形態で、空気流によって駆動される。蒸発していない液体の画分は、タンク４７に戻ってリサイクルされる。蒸発した液体で充填された空気は、液滴分離器５８を通過し、部材５４によって出口５６に排出される。
【０１６９】
蒸発器１８は、典型的には、筐体４の内部に配置される。入口５２を介して内部雰囲気を直接吸引し、出口５６を介して蒸気を含む空気を内部雰囲気に直接放出する。
【０１７０】
このような蒸発器を使用する方法、すなわち、液体を充填塔の空気流と接触させることによって蒸発させる方法は、ＸＥＤＡＶＡＰ（登録商標）タイプの蒸発器で蒸発することができるよりもはるかに高い多量の液体の蒸発を可能にする。
【０１７１】
例えば、図１１に示す蒸発器では、４ｍ2の表面積を有する吸収性ストリップを用いて、約１．２リットル／日のハッカ油を蒸発させることが可能である。図１２の充填塔では、１日あたり１．２リットルよりはるかに多い量を、１日あたり最大２０リットルで蒸発させることが可能である。
【０１７２】
この状況器は、非常に単純であり、非常に高い蒸発能力を有し、比較的小規模サイズを有するという利点がある。
【０１７３】
その高い蒸発能力のため、筐体の内部雰囲気を飽和に近い製造物濃度に維持することが可能である。これにより、製造物はその動作を最も良く行うことができる。
【０１７４】
あるいは、任意の他のタイプの適切な蒸発器を用いて、飽和に近い製造物濃度で筐体の内部雰囲気を維持することができる。
【０１７５】
蒸発器は、電子デバイス２０によって様々な方法で制御されてもよい。
【０１７６】
第１の改変によれば、蒸発器は連続的に作動することができる。それは、筐体の内部雰囲気に配置される。蒸気で満たされた空気を吸引して吐き出す。一旦、内部雰囲気が製造物で飽和されると、もはや蒸気濃度を増加させることは不可能であり、蒸発は自然に停止する。
【０１７７】
あるいは、電子デバイス２０は、予め決定されたタイムチャートに従って蒸発器を始動及び停止させるようにプログラムされ得る。
【０１７８】
さらに別の改変によれば、電子デバイス２０は、筐体の内部雰囲気中の製造物蒸気の濃度を連続的に測定する分析器に接続することができる。予め決定された範囲内の濃度を維持するために、蒸発器１８の動作を開始、停止又は調整する。
【０１７９】
さらに別の改変実施形態によれば、加工デバイスは、筐体に格納された植物性製造物を観察するように構成されたカメラを含むことができる。カメラは、筐体からある距離に位置されたある制御ステーションに接続される。この制御ステーションは、オペレーターがカメラによって撮影された画像を見ることを可能にするスクリーンを含むことができ、したがって、貯蔵された植物性製造物の状態を知ることができる。さらに、制御ステーションは、電子制御デバイス２０を制御するように設計されていて、オペレーターが蒸発器の制御を適応させ、典型的に単位時間あたりに植物性製造物に適用される製造物の用量を変化させることができる。
【０１８０】
別の態様によれば、本発明は、筐体２，４及び上記特性を有する処理デバイス１７を備えるユニットに関する。この場合、蒸発器１８は、液体の蒸気を筐体２，４内に注入するように設計されている。
【０１８１】
一実施形態によれば、アセンブリーは、筐体４内に貯蔵された植物性製造物を含むことができる。
【０１８２】
植物性製造物６は、典型的には、図７に示すように、容器にパッケージされていないという意味で、筐体４の内部雰囲気に曝露される。
【０１８３】
本発明に包含されないさらに別の態様によれば、ユニットは、以下を備え得る：
−  バッグ又は箱などの密閉したパッケージ１２；
−  パッケージ１２に貯蔵された植物性製造物６；
−  少なくとも１つの薬害軽減剤製造物を含有する液体１４；
−  液体１４が容器１６に囲まれている、植物性保護製造物又は各植物性製造物に対して透過性である材料の少なくとも１つの壁が設けられた密閉した容器１６。
【０１８４】
この実施形態を図８に示す。
【０１８５】
容器１６は、パッケージ１２内に配置される。
【０１８６】
液体１４及び容器１６は、５０℃未満の温度で、薬害軽減剤製造物又は各薬害軽減剤製造物を含有する液体が蒸発され、６日間を超えて持続する注入段階中にパッケージ１２の内部に連続的に注入されるように選ばれる。
【０１８７】
液体は、容器１６内に配置された多孔質固体１７を浸漬する。
【０１８８】
容器１６は、処理プロセスに関して上述したタイプのものである。
【０１８９】
液体１４は、上述した液体のうちの１つである。好ましくは、液体は、低温で蒸発しやすい液体、例えばアルコールである。
【０１９０】
所望の性能を得るために、透過性部材壁の表面、この壁の厚さ、及び部材の性質は、典型的には、液体及び作物保護製造物の性質の関数として選択される。
【０１９１】
例えば、部材は、ポリエチレンであってもよい。
【図１】
2019520854.tif 000003
【図２】
2019520854.tif 000004
【図３】
2019520854.tif 000005
【図４】
2019520854.tif 000006
【図５】
2019520854.tif 000007
【図６】
2019520854.tif 000008
【図７】
2019520854.tif 000009
【図８】
2019520854.tif 000010
【図９】
2019520854.tif 000011
【図１０】
2019520854.tif 000012
【図１１】
2019520854.tif 000013
【図１２】
2019520854.tif 000014
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
沸騰温度が６０〜２８０℃である少なくとも１つの殺生物性製造物及び／又は薬害軽減剤製造物による処理方法であって、ここで、前記方法は、３日間以上の持続期間（ＤＴ）の処理工程を含み、前記処理工程は、上記製造物又は各製造物を含有する液体が蒸発され、筺体（２，４）の内部に注入される間に、３日間以上の持続期間の少なくとも１回の注入段階（ＰＩ）を含み、前記筺体（２，４）は部屋であり、一方、液体は、前記注入段階の間に２日以下の期間（ΔＴ）で蒸発及び注入され、液体は５０℃未満の温度で蒸発される、上記方法。
【請求項２】
前記方法は、前記筺体（２，４，１２）内の前記製造物又は各製造物の除去速度の代表量を決定する工程と、前記決定された代表量に従って、エバポレーション及び液体注入条件を選択する工程とを含むことを特徴とする、請求項１に記載の方法。
【請求項３】
前記注入段階又は各注入段階の間に、前記液体が、濃度が５０〜２０００ｐｐｍである、各使用のために予め決定された濃度範囲内で、筺体（２，４，１２）の内部雰囲気中の前記製造物又は各製造物の濃度を維持するために選ばれた条件下で蒸発され、注入されることを特徴とする、請求項１又は２に記載の方法。
【請求項４】
前記製造物の少なくとも１つが、薬害軽減剤製造物の以下のリスト、又は殺生物性製造物の以下のリスト：
−薬害軽減剤製造物：精油；テルペン；飽和又は不飽和Ｃ３〜Ｃ９短鎖アルコール；
−殺生物性製造物：クローブ油、タイム油、ゲラニオール、エチルアルコール、グルタルアルデヒド
から選ばれることを特徴とする、請求項１〜３のいずれか１項に記載の方法。
【請求項５】
前記方法が、３日以上の貯蔵期間（ＤＳ）の間、植物性製造物（６）を前記筺体（４，１２）内に貯蔵する工程を含み、ここで、前記製造物の少なくとも１つが薬害軽減剤製造物であることを特徴とする、請求項１〜４のいずれか１項に記載の方法。
【請求項６】
前記処理期間（ＤＴ）が、前記貯蔵期間（ＤＳ）の５０％以上であることを特徴とする、請求項５に記載の方法。
【請求項７】
前記処理工程が、前記処理工程の持続期間（ＤＴ）と実質的に等しい持続期間の単一注入段階を含むことを特徴とする、請求項１〜６のいずれか１項に記載の方法。
【請求項８】
ジャガイモが筺体（４）内に貯蔵され、ここで、前記液体が、少なくとも５０重量％のＬ−カルボンを含み、ジャガイモ１トンあたり１〜１０ｍｌの液体が前記注入段階の間の各々の日に注入されることを特徴とする、請求項７に記載の方法。
【請求項９】
前記処理工程が、液体注入がない停止段階によって互いに分離された複数の連続した注入段階を含むことを特徴とする、請求項１〜６のいずれか１項に記載の方法。
【請求項１０】
前記液体が、充填された塔内の空気流と接触させることによって蒸発させることを特徴とする、請求項１〜９のいずれか１項に記載の方法。
【請求項１１】
前記筺体（２，４）の内部雰囲気が、製造物で飽和状態に保たれることを特徴とする、請求項１〜８又は１０のいずれか１項に記載の方法。
【請求項１２】
前記エバポレーションが、連続的に作動する蒸発器（１８）を用いて行われることを特徴とする、請求項１〜８又は１０のいずれか１項に記載の方法。
【請求項１３】
分析器が、筐体（２，４）の内部雰囲気中の製造物濃度を永久的に測定し、前記エバポレーションが、予め決定された濃度内の製造物濃度を維持するために、測定された濃度に従って制御される蒸発器（１８）によって行われることを特徴とする、請求項３に記載の方法。
【請求項１４】
沸騰温度が６０〜２８０℃である少なくとも１つの殺生物性製造物及び／又は薬害軽減剤製造物を有する処理デバイスであって、前記デバイス（１７）は、
５０℃未満の温度で前記製造物又は各製造物を含有する液体を蒸発させ、前記蒸発した液体を筐体（２，４）に注入するように設計された蒸発器（１８）と、
３日間以上の持続期間（ＤＴ）の処理工程を実施するようにプログラムされた、前記蒸発器（１８）を制御するための電子デバイス（２０）であって、ここで、処理工程は、蒸発器（１８）が液体を蒸発し、２日未満の期間、蒸発した液体を注入する間、３日間以上の期間、少なくとも１回の注入段階を含む前記電子デバイスと
を備える、処理デバイス。
【請求項１５】
前記電子デバイス（２０）が、前記注入段階又は各注入段階の間に、前記液体が、雰囲気中の濃度が５０〜２０００ｐｐｍである、各使用のために予め決定された濃度範囲内で、筺体（２，４）の内部雰囲気中の前記製造物又は各製造物の濃度を維持するために選ばれた条件下で蒸発され、注入されるようにプログラムされていることを特徴とする、請求項１４に記載のデバイス。
【請求項１６】
前記植物性製造物（６）が、３日以上の貯蔵期間（ＤＳ）の間、前記筺体（４）内に貯蔵され、ここで、前記製造物の少なくとも１つが薬害軽減剤製造物であり、前記電子デバイス（２０）は、処理期間（ＤＴ）が貯蔵期間（ＤＳ）の５０％以上であるようにプログラムされていることを特徴とする、請求項１４又は１５に記載のデバイス。
【請求項１７】
前記電子デバイス（２０）は、前記処理工程が、該処理工程の持続期間（ＤＴ）に実質的に等しい持続期間の単一注入段階を含むようにプログラムされていることを特徴とする、請求項１４〜１６のいずれか１項に記載のデバイス。
【請求項１８】
前記電子デバイス（２０）は、前記処理工程が、注入がない停止段階によって互いに分離された複数の連続した注入段階を含むようにプログラムされていることを特徴とする、請求項１４〜１６のいずれか１項に記載のデバイス。
【請求項１９】
前記蒸発器（１８）が、パッキング（４２）を有する塔（４０）と、パッキング（４２）の上方に液体を注入するためのデバイス（４４）と、パッキング（４２）を通る空気の上方への流れを生じさせるように配置されたデバイス（４６）とを備えることを特徴とする、請求項１４〜１８のいずれか１項に記載のデバイス。
【請求項２０】
前記電子制御デバイス（２０）が、前記製造物中で飽和された前記筐体（２４）の内部雰囲気を維持するために蒸発器（１８）を制御することを特徴とする、請求項１４〜１７又は１９のいずれか１項に記載のデバイス。
【請求項２１】
前記電子制御デバイス（２０）が前記蒸発器（１８）を永久的に作動することを特徴とする請求項１４〜１７又は１９のいずれか１項に記載のデバイス。
【請求項２２】
筐体（２，４）の内部雰囲気中の製造物蒸気濃度を連続的に測定する分析器を備え、ここで、前記電子制御デバイス（２０）が、予め決定された範囲内で製造物濃度を維持するために、測定された濃度の関数として蒸発器（１８）を制御する、請求項１５に記載のデバイス。
【請求項２３】
前記蒸発器（１８）が、前記蒸発した液体を前記筐体（２，４）に注入するように設計され、ここで、植物性製造物（６）が好ましくは筐体（４）に貯蔵される、請求項１４〜２２のいずれか１項に記載の筐体（２，４）及び処理デバイス（１７）を備えるユニット。
【国際調査報告】
2019520854.tif 000015
2019520854.tif 000016
2019520854.tif 000017
2019520854.tif 000018